(57)【要約】【課題】デコーダとエンコーダを独立したユニットで構成し、デコーダとエンコーダ相互間で画像・音声データを直接通信するインタフェースを設け、デコーダとエンコーダのＩＰアドレスを１つに共通化して画像・音声データの送信／受信が可能な利便性の高い画像伝送装置を提供する。【解決手段】デコーダ４ａと直接通信するデコーダ・インタフェースＩＤａを備えたエンコーダ３ａと、エンコーダ３ａと直接通信するエンコーダ・インタフェースＩＥａを備えたデコーダ４ａとを有し、符号化・復号化装置として使用する際に、デコーダ・インタフェースＩＤａとエンコーダ・インタフェースＩＥａを接続するとともに、エンコーダ３ａのＬＡＮインタフェースＩａ１を介してＬＡＮ５と接続し、符号化した画像・音声データをＩＰパケットで送信／受信する。【選択図】  図１
2004336548.tif 000002
【特許請求の範囲】
【請求項１】
画像・音声データを符号化してＬＡＮインタフェースを介してＬＡＮに送信するエンコーダと、符号化された画像・音声データを前記ＬＡＮからＬＡＮインタフェースを介して受信するデコーダとを備え、ＩＰプロトコルを用いて画像・音声データを前記ＬＡＮ経由で通信する画像伝送装置において、
前記エンコーダは、前記デコーダと直接通信するデコーダ・インタフェースを備え、前記デコーダは、前記エンコーダと直接通信するエンコーダ・インタフェースを備え、符号化・復号化装置として使用する際に、前記デコーダ・インタフェースと前記エンコーダ・インタフェースを接続するとともに、前記エンコーダの前記ＬＡＮインタフェースを介して前記ＬＡＮと接続し、符号化した画像・音声データを送信／受信することを特徴とする画像伝送装置。
【請求項２】
前記デコーダ・インタフェースおよび前記エンコーダ・インタフェースの信号の一部に前記ＬＡＮインタフェースの信号を含め、前記デコーダは、前記エンコーダ・インタフェースを介して前記ＬＡＮに接続することを特徴とする請求項１記載の画像伝送装置。
【請求項３】
前記エンコーダおよび前記デコーダは、それぞれ独立したユニットで構成したことを特徴とする請求項１記載の画像伝送装置。
【請求項４】
前記エンコーダおよび前記デコーダは、ＩＰアドレスを同じアドレスに設定することを特徴とする請求項１記載の画像伝送装置。
【請求項５】
前記デコーダは、画像・音声データの再送要求のＩＰパケットを前記ＬＡＮに送信する場合、前記エンコーダ・インタフェース、前記デコーダ・インタフェースを介して前記エンコーダに伝送し、前記エンコーダの前記ＬＡＮインタフェースから送信することを特徴とする請求項１記載の画像伝送装置。
【請求項６】
前記デコーダは、画像・音声データのＩＰパケットを前記ＬＡＮから受信する場合、前記エンコーダの前記ＬＡＮインタフェースおよび前記  デコーダ・インタフェース、前記エンコーダ・インタフェースを介して受信することを特徴とする請求項１記載の画像伝送装置。
【発明の詳細な説明】
【０００１】
【発明の属する技術分野】
本発明はＩＰプロトコルを用いて画像・音声データをＬＡＮ経由で通信する画像伝送装置に係り、特にデコーダとエンコーダ相互間で画像・音声データを直接通信するインタフェースを備え、デコーダとエンコーダのＩＰアドレスを１つに共通化して画像・音声データの送信／受信が可能な画像伝送装置に関する。
【０００２】
【従来の技術】
従来の画像伝送装置は、「特許文献１」に開示されているように、ＴＣＰ／ＩＰのプロトコルを用いてＩＰパケット化したデータを送受信し、画像データおよび音声データを送受信するＬＡＮポートが１つのものが知られている。
【０００３】
また、従来の画像伝送装置は、「特許文献２」に開示されているように、ネットワーク構成として画像データを符号化して送信するカメラと符号化された画像データを復号化するデコーダとがＬＡＮを介して接続されるものが知られている。なお、この画像伝送装置は、画像データおよび音声データが一方向の通信になっている。
【０００４】
【特許文献１】
特表２００１−５１６９３０号公報
【特許文献２】
特開２００１−９４９８７号公報
【０００５】
【発明が解決しようとする課題】
画像伝送装置には、例えばＴＶ電話機のような双方向通信を実行する装置と、監視システムのような片方向通信を実行する装置の２種類があり、「特許文献１」に開示された装置は、双方向通信に適しているが、片方向通信に適用する場合には、送信側または受信側のいずれか一方しか使用しないため無駄を生じる課題がある。
【０００６】
また、「特許文献１」に開示された従来の画像伝送装置は、１つの装置でＴＣＰ／ＩＰのプロトコルの送受信処理を実行するため、高画質の画像を送る場合には、伝送レートが高くなってＴＣＰ／ＩＰのプロトコル処理のための処理能力が要求される。
【０００７】
一方、「特許文献２」に開示された従来の画像伝送装置は、カメラからデコーダへの片方向通信になっているため、双方向通信に適用する場合には、送信／受信の２個のポートが必要とされ、配線が２本、ＩＰアドレスも２つ必要となる。その結果、カメラ、デコーダで１つの装置として位置付けられているにも拘わらず、ＴＣＰ／ＩＰレイヤのための処理をカメラとデコーダがそれぞれ実行しなければならない課題がある。
【０００８】
この発明はこのような課題を解決するためになされたもので、その目的はデコーダとエンコーダを独立したユニットで構成し、デコーダとエンコーダ相互間で画像・音声データを直接通信するインタフェースを設け、デコーダとエンコーダのＩＰアドレスを１つに共通化して画像・音声データの送信／受信が可能な利便性の高い画像伝送装置を提供することにある。
【０００９】
【課題を解決するための手段】
前記課題を解決するためこの発明に係る画像伝送装置は、画像・音声データを符号化してＬＡＮインタフェースを介してＬＡＮに送信するエンコーダと、符号化された画像・音声データをＬＡＮからＬＡＮインタフェースを介して受信して復号化するデコーダとを備え、ＩＰプロトコルを用いて画像・音声データをＬＡＮ経由で通信する画像伝送装置において、エンコーダは、デコーダと直接通信するデコーダ・インタフェースを備え、デコーダは、エンコーダと直接通信するエンコーダ・インタフェースを備え、符号化・復号化装置として使用する際に、デコーダ・インタフェースとエンコーダ・インタフェースを接続するとともに、エンコーダのＬＡＮインタフェースを介してＬＡＮと接続し、符号化した画像・音声データを送信／受信することを特徴とする。
【００１０】
この発明に係る画像伝送装置において、エンコーダは、デコーダと直接通信するデコーダ・インタフェースを備え、デコーダは、エンコーダと直接通信するエンコーダ・インタフェースを備え、符号化・復号化装置として使用する際に、デコーダ・インタフェースとエンコーダ・インタフェースを接続するとともに、エンコーダのＬＡＮインタフェースを介してＬＡＮと接続し、符号化した画像・音声データを送信／受信するので、デコーダとエンコーダのＩＰアドレスを１つに共通化し、エンコーダのＬＡＮインタフェースをＬＡＮポートに接続することによって画像・音声データの送信／受信を実行することができ、ＬＡＮポート数を削減してランニングコストの低減を実現するとともに、利便性の向上を図ることができる。
【００１１】
また、この発明に係る画像伝送装置は、デコーダ・インタフェースおよびエンコーダ・インタフェースの信号の一部にＬＡＮインタフェースの信号を含め、デコーダは、エンコーダ・インタフェースを介してＬＡＮに接続することを特徴とする。
【００１２】
この発明に係る画像伝送装置は、デコーダ・インタフェースおよびエンコーダ・インタフェースの信号の一部にＬＡＮインタフェースの信号を含め、デコーダは、エンコーダ・インタフェースを介してＬＡＮに接続するので、デコーダをエンコーダのＬＡＮインタフェースを介してＬＡＮポートに接続することができる。
【００１３】
さらに、この発明に係るエンコーダおよびデコーダは、それぞれ独立したユニットで構成したことを特徴とする。
【００１４】
この発明に係るエンコーダおよびデコーダは、それぞれ独立したユニットで構成したので、エンコーダとデコーダの組合せにより、片方向通信および双方向通信のいずれにも容易に対応することができ、使い勝手の良さをアピールすることができる。
【００１５】
また、この発明に係るエンコーダおよびデコーダは、ＩＰアドレスを同じアドレスに設定することを特徴とする。
【００１６】
この発明に係るエンコーダおよびデコーダは、ＩＰアドレスを同じアドレスに設定するので、音声・画像データの符号化・復号化装置として使用する際に、ＬＡＮポートを１個で構成することができ、ランニングコストを低減させることができる。
【００１７】
さらに、この発明に係るデコーダは、画像・音声データの再送要求のＩＰパケットをＬＡＮに送信する場合、エンコーダ・インタフェース、デコーダ・インタフェースを介してエンコーダに伝送し、エンコーダのＬＡＮインタフェースから送信することを特徴とする。
【００１８】
この発明に係るデコーダは、画像・音声データの再送要求のＩＰパケットをＬＡＮに送信する場合、エンコーダ・インタフェース、デコーダ・インタフェースを介してエンコーダに伝送し、エンコーダのＬＡＮインタフェースから送信するので、デコーダおよびエンコーダのＬＡＮポートを１個で共用することができ、ＬＡＮポート数に比例する使用料を低減し、経費削減を図ることができる。
【００１９】
また、この発明に係るデコーダは、画像・音声データのＩＰパケットをＬＡＮから受信する場合、エンコーダのＬＡＮインタフェースおよびデコーダ・インタフェース、エンコーダ・インタフェースを介して受信することを特徴とする。
【００２０】
この発明に係るデコーダは、画像・音声データのＩＰパケットをＬＡＮから受信する場合、エンコーダのＬＡＮインタフェースおよびデコーダ・インタフェース、エンコーダ・インタフェースを介して受信するので、デコーダおよびエンコーダのＬＡＮポートを１個で共用化することができ、経済性をアピールすることができる。
【００２１】
【発明の実施の形態】
以下、この発明の実施の形態を添付図面に基づいて説明する。なお、本発明は音声・画像データをＬＡＮに送信するエンコーダと音声・画像データをＬＡＮから受信するデコーダを独立したユニットで構成し、エンコーダとデコーダ相互間で音声・画像データを直接通信するインタフェースを設け、エンコーダのＬＡＮインタフェースを介して共通のＩＰアドレスで音声・画像データを送受信可能とするものである。
【００２２】
図１はこの発明に係る画像伝送装置が適用される実施の形態ＬＡＮシステム構成図である。図１において、画像伝送システム１は、画像伝送装置２ａと、画像伝送装置２ａと対向して画像・音声データの通信を行う画像伝送装置２ｂと、画像伝送装置２ａおよび画像伝送装置２ｂを接続して画像・音声データのＩＰパケットを伝送するＬＡＮ５（例えば、ＩＰ網、ＡＴＭ網等）とから構成する。
【００２３】
画像伝送装置２ａおよび画像伝送装置２ｂは、それぞれカメラＣａ，カメラＣｂと、エンコーダ３ａ，エンコーダ３ｂと、モニタＭａ，モニタＭｂと、デコーダ４ａ，デコーダ４ｂを備え、例えば対向するＴＶ会議装置を構成する。なお、画像伝送装置２ａと画像伝送装置２ｂは、同一構成で同一機能を有するので、以降、画像伝送装置２ａについて説明する。
【００２４】
エンコーダ３ａは、カメラＣａで撮像した画像信号および収集した音声信号の画像・音声データを符号化し、ＩＰプロトコルを用いてパケット化したＩＰパケットをＬＡＮインタフェースＩａ１、ＬＡＮポートＰａ１を介してＬＡＮ５に送信する。
【００２５】
デコーダ４ａは、ＬＡＮ５、ＬＡＮポートＰａ２を介して伝送されてくる画像・音声データの符号化されたＩＰパケットをＬＡＮインタフェースＩａ２で受信し、復号化して画像信号および音声信号に変換し、画像信号をモニタＭａに表示するとともに音声信号をスピーカ（図示せず）から出力する。
【００２６】
つまり、画像伝送装置２ａのエンコーダ３ａから送信されるＩＰパケット（画像・音声データ）は、ＬＡＮ５を経由して伝達され、画像伝送装置２ｂのデコーダ４ｂで受信されて画像信号がモニタＭｂに表示されるとともに、音声信号がスピーカ（図示せず）から出力される。一方、画像伝送装置２ｂのエンコーダ３ｂから送信されるＩＰパケット（画像・音声データ）は、ＬＡＮ５を経由して伝達され、画像伝送装置２ａのデコーダ４ａで受信されて画像信号がモニタＭａに表示されるとともに、音声信号がスピーカ（図示せず）から出力される。このように、画像伝送装置２ａと画像伝送装置２ｂとの相互間で、例えばＴＶ会議の画像・音声データのような双方向パケット通信が成立する。
【００２７】
エンコーダ３ａとデコーダ４ａは、それぞれ独立したユニット、例えば実装基板で構成し、例えば監視装置のような片方向のパケット通信に適用する場合には、エンコーダ３ａを画像・音声データのパケット送信側に使用し、デコーダ４ａを画像・音声データのパケット送信側に使用する。
【００２８】
一方、エンコーダ３ａとデコーダ４ａを１台の画像・音声データの符号化・復号化装置としてＴＶ会議装置のような双方向のパケット通信に適用する場合には、エンコーダ３ａユニットとデコーダ４ａユニットを同一の装置に搭載し、ＩＰパケットの送受信装置に使用する。
【００２９】
このように、この発明に係るエンコーダ３ａおよびデコーダ４ａは、それぞれ独立したユニットで構成したので、エンコーダ３ａとデコーダ４ａの組合せにより、片方向通信および双方向通信のいずれにも容易に対応することができ、使い勝手の良さをアピールすることができる。
【００３０】
また、エンコーダ３ａは、デコーダ４ａと直接通信するデコーダ・インタフェースＩＤａを備える。一方、デコーダ４ａもエンコーダ３ａと直接通信するエンコーダ・インタフェースＩＥａを備える。デコーダ・インタフェースＩＤａとエンコーダ・インタフェースＩＥａとを、ケーブルＬａ（破線表示）で接続する。
【００３１】
通常、エンコーダ３ａは、画像・音声データのＩＰパケットをＬＡＮインタフェースＩａ１→ＬＡＮポートＰａ１の経路でＬＡＮ５に送信し、デコーダ４ａは、ＬＡＮ５から伝送されてくる画像・音声データのＩＰパケットをＬＡＮポートＰａ２→ＬＡＮインタフェースＩａ２の経路で受信するが、ＬＡＮポートの数に応じてユーザの使用料金が増加するので、ＬＡＮポートの数を減らすためにパケット送信側のＬＡＮポートとパケット受信側のＬＡＮポートを共用し、ＬＡＮポートＰａ１個を用いてＩＰパケットの送信／受信を実行する目的で、エンコーダ３ａにデコーダ・インタフェースＩＤａを設け、デコーダ４ａにエンコーダ・インタフェースＩＥａを設けてケーブルＬａで接続し、エンコーダ３ａとデコーダ４ａ相互間で直接通信を行う。
【００３２】
デコーダ・インタフェースＩＤａおよびエンコーダ・インタフェースＩＥａを設け、ケーブルＬａで接続することにより、エンコーダ３ａからＬＡＮ５に送信する画像・音声データのＩＰパケットは、ＬＡＮインタフェースＩａ１→ＬＡＮケーブルＣＢａ１→ＬＡＮポートＰａ１の経路でＬＡＮ５に送信される。一方、ＬＡＮ５からデコーダ４ａが受信する画像・音声データのＩＰパケットは、ＬＡＮポートＰａ１→ＬＡＮケーブルＣＢａ１→ＬＡＮインタフェースＩａ１→デコーダ・インタフェースＩＤａ→ケーブルＬａ→エンコーダ・インタフェースＩＥａの経路でデコーダ４ａが受信する。
【００３３】
また、デコーダ・インタフェースＩＤａおよびエンコーダ・インタフェースＩＥａを設け、ケーブルＬａで接続することにより、デコーダ４ａは、受信した画像・音声データのＩＰパケットに誤りがある場合、再送要求データのＩＰパケットをエンコーダ・インタフェースＩＥａ→ケーブルＬａ→デコーダ・インタフェースＩＤａ→ＬＡＮインタフェースＩａ１→ＬＡＮケーブルＣＢａ１→ＬＡＮポートＰａ１の経路でＬＡＮ５に送信し、画像・音声データのＩＰパケットを対向する、例えば画像伝送装置２ｂのエンコーダ３ｂに要求することができる。
【００３４】
デコーダ・インタフェースＩＤａとエンコーダ・インタフェースＩＥａを接続して直接通信するため、デコーダ・インタフェースＩＤａおよびエンコーダ・インタフェースＩＥａの信号の一部にＬＡＮインタフェースＩａ２の信号を含め、この信号に基づいてデコーダ・インタフェースＩＤａとエンコーダ・インタフェースＩＥａがＬＡＮインタフェースＩａ２の機能を果たすように構成する。
【００３５】
このように、デコーダ・インタフェースＩＤａおよびエンコーダ・インタフェースＩＥａの信号の一部にＬＡＮインタフェースＩａ２の信号を含め、デコーダ４ａは、エンコーダ・インタフェースＩＥａを介してＬＡＮ５に接続するので、デコーダ４ａをエンコーダ３ａのＬＡＮインタフェースＩａ１を介してＬＡＮポートＰａ１に接続することができる。
【００３６】
通常、エンコーダ３ａとデコーダ４ａのＩＰアドレスは、それぞれ別々の値に設定されるが、エンコーダ３ａとデコーダ４ａのＬＡＮポートをＬＡＮポートＰａ１の１個で共用化するので、ＴＣＰでは特定のアプリケーション宛のデータを個別に示すためにポートの概念を持っており、ポート番号によってアプリケーションの宛先を指定できるため、ポート番号によってエンコーダ３ａとデコーダ４ａのＩＰアドレスを同じ値に設定する。同一のＩＰアドレスの設定については後述する。
【００３７】
図２はこの発明に係る画像伝送装置の一実施の形態要部ブロック構成図である。図２において、画像伝送装置２ａは、エンコーダ３ａと、デコーダ４ａとから構成する。エンコーダ３ａは、ＥＮＣ（エンコーダ）部６、ＴＣＰ／ＩＰ部７、ＭＡＣ部８、物理層を含むＬＡＮインタフェースＩａ１、デコーダ・インタフェースＩＤａを備える。デコーダ４ａは、ＤＥＣ（デコーダ）部９、ＴＣＰ／ＩＰ部１０、ＭＡＣ部１１、物理層を含むＬＡＮインタフェースＩａ２、エンコーダ・インタフェースＩＥａを備える。
【００３８】
エンコーダ３ａは、ＥＮＣ部６がカメラＣａからの画像信号および音声信号を符号化し、ＴＣＰ／ＩＰ部７が符号化した画像・音声データにＴＣＰレイヤの処理およびＩＰレイヤの処理を施す。
【００３９】
続いて、ＭＡＣ部８がＭＡＣレイヤ処理を施し、ＬＡＮインタフェースＩａ１が物理レイヤ処理を施して画像・音声データのＩＰパケットをＬＡＮポートＰａ１を介してＬＡＮ５に送信する。
【００４０】
デコーダ・インタフェースＩＤａがケーブルＬａを介してエンコーダ・インタフェースＩＥａと接続し、直接デコーダ４ａと通信を実行する。
【００４１】
デコーダ４ａは、ＤＥＣ（デコーダ）部９が画像・音声データを復号化し、画像信号および音声信号をそれぞれモニタＭａ、スピーカ（図示せず）に供給し、ＴＣＰ／ＩＰ部１０がＴＰＣレイヤ処理およびＩＰ処理を実行する。
【００４２】
ＭＡＣ部１１がＭＡＣレイヤ処理を行い、物理層を含むＬＡＮインタフェースＩａ２がＬＡＮ５から伝送されてくる画像・音声データのＩＰパケットに物理レイヤ処理を施して受信する。
【００４３】
エンコーダ・インタフェースＩＥａがケーブルＬａを介してデコーダ・インタフェースＩＤａと接続し、直接エンコーダ３ａと通信を実行する。
【００４４】
このように、この発明に係る画像伝送装置２ａにおいて、エンコーダ３ａは、デコーダ４ａと直接通信するデコーダ・インタフェースＩＤａを備え、デコーダ４ａは、エンコーダ３ａと直接通信するエンコーダ・インタフェースＩＥａを備え、符号化・復号化装置として、デコーダ・インタフェースＩＤａとエンコーダ・インタフェースＩＥａを接続するとともに、エンコーダ３ａのＬＡＮインタフェースＩａ１を介してＬＡＮ５と接続し、符号化した画像・音声データを送信／受信するので、デコーダ４ａとエンコーダ３ａのＩＰアドレスを１つに共通化し、エンコーダ３ａのＬＡＮインタフェースＩａ１をＬＡＮポートＰａ１に接続することによって画像・音声データの送信／受信を実行することができ、ＬＡＮポート数を削減してランニングコストの低減を実現するとともに、利便性の向上を図ることができる。
【００４５】
次に、エンコーダ３ａとデコーダ４ａのＩＰアドレスを同じ値に設定する方法について説明する。図３はこの発明に係るＩＰアドレスの実施の形態同一設定イメージ図である。ＴＣＰでは特定のアプリケーション宛のデータを個別に示すためにボートの概念を持っており、ポート番号によってアプリケーションの宛先を指定することができる。Ｗｅｌｌ  Ｋｎｏｗｎポートの一覧は、ＲＥＣ１７００で公開されている。
【００４６】
図３において、エンコーダ３ａのアプリケーションである「画像／音声」と「再送要求」は、それぞれ「ＭＡＣアドレス」を「ａ」，「ａ」、「ＩＰアドレス」を「ｂ」，「ｂ」、「ポート番号」を「ｃ」，「ｄ」に設定する。
【００４７】
一方、デコーダ４ａのアプリケーションである「画像／音声」と「再送要求」は、それぞれ「ＭＡＣアドレス」を「ａ」，「ａ」、「ＩＰアドレス」を「ｂ」，「ｂ」、「ポート番号」を「ｃ」，「ｄ」というようにエンコーダ３ａと同じ値に設定する。
【００４８】
また、エンコーダ３ａでは、「画像／音声」が送信となり、「再送要求」が受信となる。一方、デコーダ４ａでは、「画像／音声」が受信となり、「再送要求」が送信となる。
【００４９】
エンコーダ３ａおよびデコーダ４ａは、「ＩＰアドレス」を「画像／音声」および「再送要求」共に同一の値「ｂ」に設定し、「ポート番号」を「画像／音声」が同一の値「ｃ」、「再送要求」が同一の値「ｄ」に設定することにより、同じ値の「ＩＰアドレス」を使用しても、「画像／音声」および「再送要求」の送受信を区別することができる。
【００５０】
このように、この発明に係るエンコーダ３ａおよびデコーダ４ａは、ＩＰアドレスを同じアドレスに設定するので、音声・画像データの符号化・復号化装置として使用する際に、ＬＡＮポートを１個で構成することができ、ランニングコストを低減させることができる。
【００５１】
図４はこの発明に係るデコーダの一実施の形態再送要求データ送信の動作説明図である。図４において、デコーダ４ａのＤＥＣ部９が画像・音声データのＩＰパケット再送要求をするのは、例えば受信した画像・音声データの符号化データに付与されているシーケンスナンバーの順番が誤っていた場合、対向する画像伝送装置２ｂのエンコーダ３ｂに対して行う。
【００５２】
ＤＥＣ部９は、再送要求データをＴＣＰ／ＩＰ部１０に送信する。ＴＣＰ／ＩＰ部１０は、再送要求データにポート番号「ｄ」を付与してエンコーダ・インタフェースＩＥａに送信する。エンコーダ・インタフェースＩＥａは、ケーブルＬａを介して再送要求データをエンコーダ３ａのデコーダ・インタフェースＩＤａに送信する。
【００５３】
デコーダ・インタフェースＩＤａは、再送要求データをＴＣＰ／ＩＰ部７に送信する。ＴＣＰ／ＩＰ部７は、再送要求データをＩＰパケット化してＭＡＣ部８に送信する。ＭＡＣ部８は再送要求のＩＰパケットをフレームにしてＬＡＮインタフェースＩａ１に送信する。ＬＡＮインタフェースＩａ１は、フレームをＬＡＮポートＰａ１を介してＬＡＮ５に送信する。
【００５４】
このように、この発明に係るデコーダ４ａは、画像・音声データの再送要求のＩＰパケットをＬＡＮ５に送信する場合、エンコーダ・インタフェースＩＥａ、デコーダ・インタフェースＩＤａを介してエンコーダ３ａに伝送し、エンコーダ３ａのＬＡＮインタフェースＩａ１から送信するので、デコーダ４ａおよびエンコーダ３ａのＬＡＮポートを１個で共用することができ、ＬＡＮポート数に比例する使用料を低減し、経費削減を図ることができる。
【００５５】
図５はこの発明に係るエンコーダのデータ送信およびデコーダのデータ受信の一実施の形態動作説明図である。図５において、エンコーダ３ａから画像・音声データを送信する場合、ＥＮＣ部６は、カメラＣａからの画像・音声データを符号化してＴＣＰ／ＩＰ部７に送信する。ＴＣＰ／ＩＰ部７は、符号化された信号をＩＰパケット化し、ポート番号「ｃ」を付与してＩＰパケットをＭＡＣ部８に送信する。ＭＡＣ部８は、ＩＰパケットをフレームに生成し、フレームをＬＡＮインタフェースＩａ１に送信する。ＬＡＮインタフェースＩａ１は、フレームをＬＡＮポートＰａ１を介してＬＡＮ５に送信する。
【００５６】
一方、デコーダ４ａがＬＡＮ５から画像・音声データを受信する場合、ＬＡＮインタフェースＩａ１は、ＬＡＮ５からＬＡＮポートＰａ１を介して入力されるフレームを受信してＭＡＣ部８に送信する。ＭＡＣ部８は、フレームをＩＰパケットに変換してＴＣＰ／ＩＰ部７に送信する。
【００５７】
ＴＣＰ／ＩＰ部７は、受信したＩＰパケットをデコーダ・インタフェースＩＤａに送信する。デコーダ・インタフェースＩＤａは、ＩＰパケットをケーブルＬａを介してエンコーダ・インタフェースＩＥａに送信する。エンコーダ・インタフェースＩＥａは、ＩＰパケットをＴＣＰ／ＩＰ部１０に送信する。
【００５８】
ＴＣＰ／ＩＰ部１０は、ＩＰパケットに含まれるポート番号「ｃ」を判断し、ＩＰパケットを符号化データに変換してＤＥＣ部９に送信する。ＤＥＣ部９は、符号化データに復号化を施し、画像・音声データ（画像信号および音声信号）をモニタＭａに提供し、モニタＭａに画像を表示させ、音声を出力させる。
【００５９】
このように、この発明に係るデコーダ４ａは、画像・音声データのＩＰパケットをＬＡＮ５から受信する場合、エンコーダ３ａのＬＡＮインタフェースＩａ１およびデコーダ・インタフェースＩＤａ、エンコーダ・インタフェースＩＥａを介して受信するので、デコーダ４ａおよびエンコーダ３ａのＬＡＮポートを１個で共用化することができ、経済性をアピールすることができる。
【００６０】
なお、本実施の形態では、画像伝送装置２ａについて説明したが、本発明は、画像伝送装置２ｂについても同様に適用することができる。また、画像伝送装置は３台以上でもよい。
【００６１】
【発明の効果】
以上説明したように、この発明に係る画像伝送装置において、エンコーダは、デコーダと直接通信するデコーダ・インタフェースを備え、デコーダは、エンコーダと直接通信するエンコーダ・インタフェースを備え、符号化・復号化装置として使用する際に、デコーダ・インタフェースとエンコーダ・インタフェースを接続するとともに、エンコーダのＬＡＮインタフェースを介してＬＡＮと接続し、符号化した画像・音声データを送信／受信するので、デコーダとエンコーダのＩＰアドレスを１つに共通化し、エンコーダのＬＡＮインタフェースをＬＡＮポートに接続することによって画像・音声データの送信／受信を実行することができ、ＬＡＮポート数を削減してランニングコストの低減を実現するとともに、利便性の向上を図ることができる。
【００６２】
また、この発明に係る画像伝送装置は、デコーダ・インタフェースおよびエンコーダ・インタフェースの信号の一部にＬＡＮインタフェースの信号を含め、デコーダは、エンコーダ・インタフェースを介してＬＡＮに接続するので、デコーダをエンコーダのＬＡＮインタフェースを介してＬＡＮポートに接続することができる。
【００６３】
さらに、この発明に係るエンコーダおよびデコーダは、それぞれ独立したユニットで構成したので、エンコーダとデコーダの組合せにより、片方向通信および双方向通信のいずれにも容易に対応することができ、使い勝手の良さをアピールすることができる。
【００６４】
また、この発明に係るエンコーダおよびデコーダは、ＩＰアドレスを同じアドレスに設定するので、音声・画像データの符号化・復号化装置として使用する際に、ＬＡＮポートを１個で構成することができ、ランニングコストを低減させることができる。
【００６５】
さらに、この発明に係るデコーダは、画像・音声データの再送要求のＩＰパケットをＬＡＮに送信する場合、エンコーダ・インタフェース、デコーダ・インタフェースを介してエンコーダに伝送し、エンコーダのＬＡＮインタフェースから送信するので、デコーダおよびエンコーダのＬＡＮポートを１個で共用することができ、ＬＡＮポート数に比例する使用料を低減し、経費削減を図ることができる。
【００６６】
また、この発明に係るデコーダは、画像・音声データのＩＰパケットをＬＡＮから受信する場合、エンコーダのＬＡＮインタフェースおよびデコーダ・インタフェース、エンコーダ・インタフェースを介して受信するので、デコーダおよびエンコーダのＬＡＮポートを１個で共用化することができ、経済性をアピールすることができる。
【図面の簡単な説明】
【図１】この発明に係る画像伝送装置が適用される実施の形態ＬＡＮシステム構成図
【図２】この発明に係る画像伝送装置の一実施の形態要部ブロック構成図
【図３】この発明に係るＩＰアドレスの実施の形態同一設定イメージ図
【図４】この発明に係るデコーダの一実施の形態再送要求データ送信の動作説明図
【図５】この発明に係るエンコーダのデータ送信およびデコーダのデータ受信の一実施の形態動作説明図
【符号の説明】
１  画像伝送システム
２ａ，２ｂ  画像伝送装置
３ａ，３ｂ  エンコーダ
４ａ，４ｂ  デコーダ
５  ＬＡＮ
６  ＥＮＣ部
７，１０  ＴＣＰ／ＩＰ部
８，１１  ＭＡＣ部
９  ＤＥＣ部
Ｉａ１，Ｉａ２，Ｉｂ１，Ｉｂ２  ＬＡＮインタフェース
ＩＥａ，ＩＥｂ  エンコーダ・インタフェース
ＩＤａ，ＩＤｂ  デコーダ・インタフェース
Ｃａ，Ｃｂ  カメラ
Ｍａ，Ｍｂ  モニタ
Ｐａ１，Ｐａ２，Ｐｂ１，Ｐｂ２  ＬＡＮポート
ＣＢａ１，ＣＢａ２，ＣＢｂ１，ＣＢｂ２  ＬＡＮケーブル
Ｌａ，Ｌｂ  ケーブル
【図１】
2004336548.tif 000003
【図２】
2004336548.tif 000004
【図３】
2004336548.tif 000005
【図４】
2004336548.tif 000006
【図５】
2004336548.tif 000007